(57)【要約】 【課題】  ステップボルトが変形したり折損したりすることを防止する。【解決手段】  支持部材２１は、上下方向に延びる基端部２１ａと、基端部２１ａの下端側から斜め上方に向う支持部２１ｂと、支持部２１ｂの上端側に設けられステップボルト１０を挿入可能な挿通孔２３と、を有し、挿通孔２３にステップボルト１０を挿入してステップボルト１０を柱状体１に取り付けた状態で、基端部２１ａが柱状体１に当接し、支持部２１ｂの上端側がステップボルト１０の自由端部に位置する。また、支持部材２１がステップボルト１０を中心に回動するのを規制する規制部材２４を備える。【選択図】  図１
2011193581.tif 000002
【特許請求の範囲】
【請求項１】
柱状体から水平に突出して取り付けられる昇降用のステップボルトを補強するステップボルト用補強具であって、
上下方向に延びる垂直部と、前記垂直部の下端側から斜め上方に向う支え部と、前記支え部の上端側に設けられ前記ステップボルトを挿入可能な挿入孔と、を有し、前記挿入孔に前記ステップボルトを挿入して前記ステップボルトを前記柱状体に取り付けた状態で、前記垂直部が前記柱状体に当接し、前記支え部の上端側が前記ステップボルトの自由端部に位置する支持部材と、
前記ステップボルトを中心とする前記支持部材の回動を規制する規制手段と、
を備えることを特徴とするステップボルト用補強具。
【請求項２】
前記規制手段は、前記支持部材の垂直部に設けられ、前記垂直部が前記柱状体の正面に当接した状態で、前記柱状体の側面と当接することにより前記支持部材の回動を規制する規制部材から構成されている、
ことを特徴とする請求項１に記載のステップボルト用補強具。
【請求項３】
前記支持部材の垂直部の上端側に、前記ステップボルトを挿入可能な第２の挿入孔が設けられ、前記第２の挿入孔に前記ステップボルトが挿入された状態で、前記ステップボルトを前記柱状体に取り付ける締結部材によって、前記垂直部の上端側が前記柱状体に固定可能となっている、
ことを特徴とする請求項１または２のいずれか１項に記載のステップボルト用補強具。
【発明の詳細な説明】
【技術分野】
【０００１】
この発明は、鉄塔のような柱状体への昇降時に使用するステップボルトを補強するステップボルト用補強具に関する。
【背景技術】
【０００２】
送電線が架線される鉄塔や、変電所内の構造物などの柱状体には、作業者が昇降するためのステップボルトが取り付けられている。作業者は、墜落防止のためにステップボルトに安全帯フックを掛けながら柱状体を昇降する。ところが、作業者がバランスを崩してステップボルトから足を踏み外してしまった場合など（踏み外し時等）には、作業者の体重が安全帯フックに作用することになる。すなわち、踏み外し時等には短時間で大きな曲げ荷重（衝撃荷重）がステップボルトに作用するため、ステップボルトが変形したり折損したりするおそれがある。そのため、ステップボルトに作用する曲げ荷重が小さくなるように、安全帯フックはステップボルトの基端側に取り付けるようにして使用されている。
【０００３】
そこで、安全帯フックのステップボルト先端側への移動を制限し、基端側に位置するようにするためのステップボルトに関する技術が提案されている（例えば、特許文献１参照。）。このステップボルトは、ステップ部の基端側に形成され、安全帯のフックを掛止させるための掛止部と、ステップ部の先端側で掛止部に隣接して形成され、掛止部に掛止させたフックの軸心方向の移動を規制する規制部とにより、フックが先端側へ移動しないようにしたものである。
【０００４】
また、ステップボルトに大きな曲げ荷重が作用することを防止し、ステップボルトの変形、折損を防止するための、構造物のステップボルト取り付け構造に関する技術が提案されている（例えば、特許文献２参照。）この構造物のステップボルト取り付け構造は、ステップボルトの基端側に、ステップボルトに掛止された安全帯フックのステップボルト先端側への移動を規制するストッパーを設けることにより、安全帯フックがストッパーによってステップボルトの基端側に位置したままとなるようにしたものである。
【先行技術文献】
【特許文献】
【０００５】
【特許文献１】特開２００７−５６４６３号公報
【特許文献２】特開２００７−１３５８０５号公報
【発明の概要】
【発明が解決しようとする課題】
【０００６】
しかしながら、特許文献１、２に記載された技術はいずれも、ステップボルトに作用する曲げ荷重を小さくすることはできるが、ステップボルトの衝撃荷重に対する強度を補強するものではない。このため、踏み外し時等に大きな衝撃荷重が作用する場合には、ステップボルトが折損や変形するおそれがあるものであった。
【０００７】
そこで、この発明は、前記の課題を解決し、たとえ、衝撃荷重のような大きな曲げ荷重が作用しても、ステップボルトが変形したり折損したりすることを防止するステップボルト用補強具を提供することを目的としている。
【課題を解決するための手段】
【０００８】
前記の課題を解決するために、請求項１に記載の発明は、柱状体から水平に突出して取り付けられる昇降用のステップボルトを補強するステップボルト用補強具であって、上下方向に延びる垂直部と、前記垂直部の下端側から斜め上方に向う支え部と、前記支え部の上端側に設けられ前記ステップボルトを挿入可能な挿入孔と、を有し、前記挿入孔に前記ステップボルトを挿入して前記ステップボルトを前記柱状体に取り付けた状態で、前記垂直部が前記柱状体に当接し、前記支え部の上端側が前記ステップボルトの自由端部に位置する支持部材と、前記ステップボルトを中心とする前記支持部材の回動を規制する規制手段と、を備えることを特徴とする。
【０００９】
この発明によれば、支持部材の挿入孔にステップボルトを挿入して、ステップボルトを柱状体に取り付けることで、垂直部が柱状体に当接し、支え部の上端側がステップボルトの自由端部に位置する。つまり、ステップボルトの自由端部が、柱状体に当接した支持部材によって支持される。また、規制手段によって、支持部材がステップボルトを中心として回動することが規制される。
【００１０】
請求項２に記載の発明は、請求項１に記載されたステップボルト用補強具において、前記規制手段は、前記支持部材の垂直部に設けられ、前記垂直部が前記柱状体の正面に当接した状態で、前記柱状体の側面と当接することにより前記支持部材の回動を規制する規制部材から構成されている、ことを特徴とする。
【００１１】
請求項３に記載の発明は、請求項１または２に記載されたステップボルト用補強具において、前記支持部材の垂直部の上端側に、前記ステップボルトを挿入可能な第２の挿入孔が設けられ、前記第２の挿入孔に前記ステップボルトが挿入された状態で、前記ステップボルトを前記柱状体に取り付ける締結部材によって、前記垂直部の上端側が前記柱状体に固定可能となっている、ことを特徴とする。
【００１２】
この発明によれば、支持部材の挿入孔と第２の挿入孔とにステップボルトを挿入して、ステップボルトを締結部材で柱状体に取り付けることで、垂直部の上端側が柱状体に固定される。
【発明の効果】
【００１３】
請求項１に記載の発明によれば、ステップボルトの自由端部が、柱状体に当接した支持部材によって支持されるため、ステップボルトに曲げモーメントが作用しても、ステップボルトの取付部（基部）に作用する曲げ応力が軽減される。このため、衝撃荷重のような大きな曲げ荷重がステップボルトに作用した場合であっても、ステップボルトが変形したり折損したりすることを防止できる。つまり、ステップボルトの衝撃荷重に対する強度・剛性を補強でき、より高度な安全性を確保できる。また、規制手段によって支持部材の回動が規制されるため、支持部材によってステップボルトが確実に支持、補強され、より高度な安全性を確保することができる。
【００１４】
請求項２に記載の発明によれば、支持部材の垂直部に設けられる規制部材によって規制手段が構成されているだけであるため、構成が簡易であり、また、製造費用の低減も可能である。
【００１５】
請求項３に記載の発明によれば、支持部材の垂直部の上端側が柱状体に固定されるため、支持部材の取り付けが安定化、強固となり、より安定かつ強固にステップボルトを支持、補強することが可能となる。
【図面の簡単な説明】
【００１６】
【図１】この発明の実施の形態１に係るステップボルト用補強具をステップボルトに取り付けた状態を示す正面（一部断面）図である。
【図２】図１のステップボルト用補強具を示す分解斜視図である。
【図３】この発明の実施の形態２に係るステップボルト用補強具をステップボルトに取り付けた状態を示す正面（一部断面）図である。
【図４】この発明の実施の形態３に係るステップボルト用補強具をステップボルトに取り付けた状態を示す正面（一部断面）図である。
【図５】図４のステップボルト用補強具を示す分解斜視図である。
【図６】この発明の実施の形態４に係るステップボルト用補強具を示す分解斜視図である。
【発明を実施するための形態】
【００１７】
以下、この発明を図示の実施の形態に基づいて説明する。
【００１８】
（実施の形態１）
図１は、この実施の形態に係るステップボルト用補強具２０をステップボルト１０に取り付けた状態を示す正面（一部断面）図であり、図２は、ステップボルト用補強具２０を示す分解斜視図である。このステップボルト用補強具２０は、昇降用のステップボルト１０を補強するものであり、ステップボルト１０は、送電線が架線される鉄塔や、変電所内の構造物などの柱状体１に、所定間隔で取り付けられている。
【００１９】
すなわち、ステップボルト１０は、基端側に形成されたネジ部（雄ネジ）１１と、作業者の足場となるステップ部１２と、先端側（自由端部側）に形成されステップ部１２よりも大径の頭部１３とを備えている。また、柱状体１は、断面がＬ字状で上下方向に延び、正面１ａに取付孔１ｂが形成されている。そして、ステップボルト１０のネジ部１１を柱状体１の取付孔１ｂに挿入し、柱状体１を挟むようにして２つのナット（締結部材）１４、１５をネジ部１１に螺合・締結することで、ステップボルト１０が柱状体１から水平に突出して取り付けられるものである。
【００２０】
ステップボルト用補強具２０は、支持部材２１と規制部材（規制手段）２４とを備えている。
【００２１】
支持部材２１は、金属材で構成され、平板状で上下方向に延びる基端部（垂直部）２１ａと、基端部２１ａの下端側に溶接され、斜め上方に延びる三角柱状の支持部（支え部）２１ｂとを備えている。ここで、支持部２１ｂの断面形状は、必要強度を確保し、かつ、高さを小さくできるように扁平に設定され、支持部２１ｂの上端側には円板状の上端部２１ｃが設けられている。また、基端部２１ａの上端側と支持部２１ｂの上端部２１ｃにはそれぞれ、ステップボルト１０を挿入可能な挿通孔２２、２３（第２の挿入孔、挿入孔）が形成されている。
【００２２】
そして、後述するように、挿通孔２２、２３にステップボルト１０を挿入してステップボルト１０を柱状体１に取り付けた状態で、基端部２１ａが柱状体１の正面１ａに当接し、支持部２１ｂの上端部２１ｃがステップボルト１０の頭部１３に当接するようになっている。さらに、後述するようにしてステップボルト１０を柱状体１に取り付けた状態で、基端部２１ａの上端側（挿通孔２２の周縁）が、ナット１４によって柱状体１に固定されるようになっている。また、基端部２１ａの下端側には、規制部材２４を取り付けるための植え込みボルト２５が溶接されている。
【００２３】
規制部材２４は、ステップボルト１０を中心とする支持部材２１の回動を規制するためのものであり、板状の金属材を略Ｌ字型に曲げ加工して形成されている。この規制部材２４には、曲部２４ａにより形成された一方の面２４ｂに、植え込みボルト２５を挿入可能な挿通孔２４ｄが形成されている。そして、後述するように、植え込みボルト２５を挿通孔２４ｄに挿入して、植え込みボルト２５にナット２６を螺合・締結することで、支持部材２１の基端部２１ａに規制部材２４が取り付けられるようになっている。さらに、垂直部２１ａが柱状体１の正面１ａに当接した状態で、規制部材２４の他方の面２４ｃが柱状体１の側面１ｃに当接し、これにより支持部材２１の回動が規制されるようになっている。すなわち、規制部材２４は、その他方の面２４ｃが柱状体１の側面１ｃに当接することで、支持部材２１が反時計回りに回動・回転してナット２６が緩むことを防止するようになっている。
【００２４】
次に、このような構成のステップボルト用補強具２０の取付方法および作用について説明する。まず、ナット１４、１５を緩めてステップボルト１０を柱状体１から取り外す。次に、支持部材２１の支持部２１ｂの挿通孔２３、ナット１４、支持部材２１の基端部２１ａの挿通孔２２の順に、これらの孔にステップボルト１０を挿入し、ステップボルト１０のネジ部１１を柱状体１の取付孔１ｂに挿入する。続いて、支持部材２１の基端部２１ａが柱状体１の正面１ａに当接し、支持部２１ｂの上端部２１ｃがステップボルト１０の頭部１３に当接するように支持部材２１を位置し、ネジ部１１の自由端部からナット１５を嵌合する。そして、２つのナット１４、１５を締め付けることで、ステップボルト１０と支持部材２１とを取り付ける。
【００２５】
その後、規制部材２４の挿通孔２４ｄに植え込みボルト２５を挿入して、規制部材２４の他方の面２４ｃを柱状体１の側面１ｃに当接させた状態で、植え込みボルト２５にナット２６を締結する。これにより、支持部材２１の基端部２１ａに規制部材２４が取り付けられる。
【００２６】
このようにして、ステップボルト１０およびステップボルト用補強具２０が取り付けられた状態で、作業者は、安全帯フック（図示しない）をステップボルト１０に掛けながら、ステップボルト１０を足場として柱状体１を昇降する。そして、作業者が柱状体１上でバランスを崩し、ステップボルト１０から足を踏み外してしまった場合などには、安全帯フックに作業者の全体重が作用するので、ステップボルト１０には大きな衝撃荷重が作用する。しかしながら、ステップボルト１０の自由端部が、柱状体１に当接した支持部材２１によって支持されるため、ステップボルト１０の取付部（ネジ部１１）に作用する曲げ応力が軽減される。つまり、ステップボルト１０に作用する力が、支持部材２１の支持部２１ｂおよび基端部２１ａを介して柱状体１によって支持される。
【００２７】
以上のように、このステップボルト用補強具２０によれば、ステップボルト１０に作用する応力が軽減されるため、衝撃荷重のような大きな曲げ荷重がステップボルト１０に作用したとしても、ステップボルト１０が変形したり折損したりすることを防止できる。つまり、ステップボルト１０の衝撃荷重に対する強度・剛性を補強でき、より高度な安全性を確保できる。しかも、支持部材２１の基端部２１ａの上端側が柱状体１に固定されるため、支持部材２１の取り付けが安定化、強固となり、より安定かつ強固にステップボルト１０を支持、補強することが可能となる。
【００２８】
また、規制部材２４によって支持部材２１の回動が規制されるため、支持部材２１が回動してナット２６が緩むことがなく、しかも、基端部２１ａおよび支持部２１ｂが常にステップボルト１０の下方に位置する。このため、支持部材２１によってステップボルト１０が確実に支持、補強され、より高度な安全性を確保することができる。さらには、Ｌ字状の規制部材２４によって規制手段が構成されているだけであるため、構成が簡易であり、製造費用を低減することが可能となる。
【００２９】
さらに、既設のステップボルト１０に変更を加えずに、ステップボルト用補強具２０を取り付けることができるため、既設のすべてのステップボルト１０に対して、容易にステップボルト用補強具２０を適用することができる。
【００３０】
（実施の形態２）
図３は、この実施の形態に係るステップボルト用補強具２０をステップボルト１０に取り付けた状態を示す正面（一部断面）図である。この実施の形態では、支持部材２７が、実施の形態１の支持部材２１と異なる。このため、実施の形態１と同等の構成については、同一符号を付することで、その説明を省略し、後述する実施の形態３、４についても同様とする。
【００３１】
支持部材２７は、板状の金属材を略コの字型に曲げ加工して形成され、基端部（垂直部）２７ａと略Ｌ字型の支持部（支え部）２７ｂとを備えている。すなわち、基端部２７ａは上下方向に延び、支持部２７ｂは、基端部２７ａの下端側から水平に延びた後に上方に延びる（斜め上方に向う）ように形成されている。
【００３２】
このような実施の形態によれば、支持部材２７が略コの字型であるため、実施の形態１の支持部材２１に比べて、ステップボルト１０との間のスペースが大きく確保され、安全帯フックをステップボルト１０に掛けやすい。また、支持部２７ｂが曲げ加工された略Ｌ字型であるため、実施の形態１のような真直ぐな支持部材２１に比べて、強度・剛性が高く、より強固にステップボルト１０を支持、補強することが可能となる。
【００３３】
（実施の形態３）
図４は、この実施の形態に係るステップボルト用補強具２０をステップボルト１０に取り付けた状態を示す正面（一部断面）図であり、図５は、図４のステップボルト用補強具２０を示す分解斜視図である。この実施の形態では、支持部材２８が、実施の形態１の支持部材２１と異なる。
【００３４】
支持部材２８は、上下方向に延びる基端部（垂直部）２８ａと、基端部２８ａの下端側から斜め上方に延びる支持部（支え部）２８ｂとを備える点で、実施の形態１と同様であるが、基端部２８ａが実施の形態１に比べて短い。すなわち、基端部２８ａの上端が、柱状体１の取付孔１ｂよりも下方に位置するように、基端部２８ａの長さが設定され、基端部２８ａには挿通孔が形成されず、支持部２８ｂにのみ挿通孔２３が形成されている。
【００３５】
このような実施の形態によれば、基端部２８ａが短く、かつ挿通孔を形成する必要がないため、製造費用を抑えることが可能であり、また、１つの挿通孔２３のみにステップボルト１０を挿入すればいため、取り付けが容易となる。
【００３６】
（実施の形態４）
図６は、この実施の形態に係るステップボルト用補強具２０を示す分解斜視図である。この実施の形態では、規制部材２９が、実施の形態１の規制部材２４と異なる。
【００３７】
規制部材２９は、板状の金属材を略コの字型に曲げ加工して形成され、中央面部２９ａと、この中央面部２９ａの両側に位置する側面部２９ｂ、２９ｃとを備え、中央面部２９ａには、挿通孔２９ｄが形成されている。そして、挿通孔２９ｄに植え込みボルト２５を挿入して、規制部材２９を支持部材２１に取り付けた状態で、一方の側面部２９ｂが柱状体１の側面１ｃに当接し、他方の側面部２９ｃが柱状体１の正面１ａの側縁に当接する。これにより、支持部材２１が反時計回りのみならず、時計回りにも回動・回転しなくなるものである。
【００３８】
このような実施の形態によれば、支持部材２１の回動が完全に規制されるため、支持部材２１によってステップボルト１０がより確実に支持、補強され、より高度な安全性を確保することができる。
【００３９】
以上、この発明の実施の形態について説明したが、具体的な構成は、これらの実施の形態に限られるものではなく、この発明の要旨を逸脱しない範囲の設計の変更等があっても、この発明に含まれる。例えば、実施の形態１の支持部材２１は、その断面形状が三角柱であるが、平形や円形などであってもよい。また、柱状体１が電力柱や電信柱などの電柱であっても、本ステップボルト用補強具２０を適用することができる。
【符号の説明】
【００４０】
１              柱状体
１ａ            正面
１ｃ            側面
１０            ステップボルト
１４、１５      ナット（締結部材）
２０            ステップボルト用補強具
２１            支持部材
２１ａ          基端部（垂直部）
２１ｂ          支持部（支え部）
２２、２３      挿通孔（第２の挿入孔、挿入孔）
２４            規制部材（規制手段）
【図１】
2011193581.tif 000003
【図２】
2011193581.tif 000004
【図３】
2011193581.tif 000005
【図４】
2011193581.tif 000006
【図５】
2011193581.tif 000007
【図６】
2011193581.tif 000008